(57)【特許請求の範囲】
【請求項１】
建物の開口部枠と、開口部枠の室内側に位置するとともに開口部枠の面内方向に対して直角に移動して開口部を開閉する開口部カバーとを備え、
開口部カバーは、室内側に操作ハンドルを軸着し、室外側に操作ハンドルの回転操作により回転可能なロック部を有し、
開口部枠には、ロック枠を配置してあり、ロック部には開口部カバーが閉状態でロック枠に係合する閉ロックプレートと、開口部カバーが開状態でロック枠に係合する開ロックプレートが設けてあり、
開口部カバーの室外側には面内方向に対して直角方向に突出する複数の案内アームを有し、断面円形の棒状体である各案内アームには室内側に所定の長さに渡って径小平面部が設けてあり、
開口部枠には、開口部カバーが開閉する方向に複数のシリンダーが設けてあり且つ各シリンダーは案内アームを挿通して案内アームを案内するものであり、
開口部枠には、各シリンダーの入り口近傍に案内アームが挿通可能な孔を具備するストッパを付設してあり、孔は案内アームが挿通可能な正面視円形部と案内アームの径小平面部のみ挿通可能な長方形部の組み合わせ形状を成しており、ストッパはシリンダーの入り口に孔の正面視円形部と長方形部とが位置することができるようにスライド自在であり、且つシリンダーの入り口に長方形部が位置するように弾接されていることを特徴とする建物の開口部カバー開閉装置。
【発明の詳細な説明】
【０００１】
【発明が属する技術分野】
本発明は、建物の外壁面等に設けられた換気用開口部を閉止及び開口することができる開口部カバーの開閉装置に関し、特に、自然換気構造の換気用開口部に設けられた開口部カバーを開・閉の両状態でロック（維持）できる開口部カバーの開閉装置に関するものである。
【０００２】
【従来の技術】
従来、建物の壁面等に設けられた換気用開口部の開閉カバーは特許文献１又は特許文献２に記載されているように、開口部枠と開閉カバーをアームでつないで平行にスライドさせたものがある。また、開口部枠に対して開閉カバーをヒンジや丁番により回転させることで開閉可能とする窓は公知であり、また、ヒンジによりアームを伸縮させ、回転或いは移動リンク機構により、障子を押し出して開閉する窓等も公知である（特許文献３）。
しかしながら、これらの技術では構造が複雑で換気効率が低いばかりでなく、開閉・ロック操作も煩雑であり、加えて、開閉カバーを着脱することが困難である。
【０００３】
【特許文献１】
実開平６−１６６７４号公報
【０００４】
【特許文献２】
特開平６―２０８７３号公報
【０００５】
【特許文献３】
特開２００１―１５９２７９号公報
【０００６】
【発明が解決しようとする課題】
したがって、本発明の目的は、、構造が簡単で、一つのハンドル操作で開閉操作のみならず換気用開口部の開口部カバーを閉状態及び開状態で固定（ロック）でき、且つ、換気用開口部に対して開口部カバーの着脱が容易な建物の壁面等に設けられる換気用の開口部カバーの開閉装置を提供することにある。
【０００７】
【課題を解決するための手段】
本発明は、上記課題を達成するために、建物の開口部カバー開閉装置は、建物の開口部枠と、開口部枠の室内側に位置するとともに開口部枠の面内方向に対して直角に移動して開口部を開閉する開口部カバーとを備え、開口部カバーは、室内側に操作ハンドルを軸着し、室外側に操作ハンドルの回転操作により回転可能なロック部を有し、開口部枠には、ロック枠を配置してあり、ロック部には開口部カバーが閉状態でロック枠に係合する閉ロックプレートと、開口部カバーが開状態でロック枠に係合する開ロックプレートが設けてあり、開口部カバーの室外側には面内方向に対して直角方向に突出する複数の案内アームを有し、断面円形の棒状体である各案内アームには室内側に所定の長さに渡って径小平面部が設けてあり、開口部枠には、開口部カバーが開閉する方向に複数のシリンダーが設けてあり且つ各シリンダーは案内アームを挿通して案内アームを案内するものであり、開口部枠には、各シリンダーの入り口近傍に案内アームが挿通可能な孔を具備するストッパを付設してあり、孔は案内アームが挿通可能な正面視円形部と案内アームの径小平面部のみ挿通可能な長方形部の組み合わせ形状を成しており、ストッパはシリンダーの入り口に孔の正面視円形部と長方形部が位置することができるようにスライド自在であり、且つシリンダーの入り口に長方形部が位置するように弾接されていることを特徴とする。
【００１２】
【発明の実施の形態】
本実施形態のものは、例えば、特開２００１―２０６３２号公報（本出願人の出願）に記載における換気用開口部の室内側の開閉カバーとして適用されるものであり、特に、連窓の途中に組み込まれた換気装置としての開口部（換気孔部）の開閉及び取着可能な開口部カバーとして適用されるものであるが、その他単窓等にも適用が可能なことはいうまでもない。
【００１３】
先ず、実施形態について図面を参照しつつ説明する。図１はその開口部カバー開閉装置のロック部の説明図で、閉状態（Ａ）と開状態（Ｂ）とを示す。図２はその開口部カバーの正面図、図３は図２のＡ−Ａ線の断面図、図４は同開閉装置の縦断面図、図５（Ａ）（Ｂ）は、図１のＣ部説明図、図６は図４のＤ部（開閉案内部）の説明図、図７は図６の開閉案内部の平面図、図８は図６の開閉案内部の側面図、図９は図６の開閉案内部の正面図、図１０は実施形態における案内アームの全体図、図１１は同案内アームの説明図、図１２は同案内アームの取付板の正面図である。なお、下記の説明において、各部材の位置を、図面を用いて説明するために左右上下の表現を用いるが、実際の位置関係はこれに限定されるものではない。
【００１４】
（開口部枠１３）
建物のサッシ枠（図外）には上下に長い開口部が形成され、この開口部が空気取り入れ口として形成されている。通常、この開口部には開口部カバー２０が設けられて閉止されているが、本実施形態はサッシ枠内に形成されている窓の開閉障子等が閉められた状態で換気を実現するために、開口部カバー２０を上記開口部から平行に引き離すことによって外気を室内外に出し入れする装置である。
【００１５】
上記サッシ枠は、開口部の縁に沿って、図２に示すような開口部カバー２０を配置するために、図２乃至図４に示すような開口部枠１３が取り付けられる。該開口部枠１３内には風案内翼１４が翼保持枠１５及び翼支持バネ１６によって支持されている。上記風案内翼１４は開口部枠１３内のほぼ中央位置に面外方向（室内外方向）に揺動可能に支持されており、室内外からの風速を和らげて案内する機能を有している。
【００１６】
上記開口部枠１３の室外側には、図３に示されるように、ネット１７が配置されるとともに、その更に室外側には案内枠１８ａを介して室外カバー１８が固定されている。該室外カバー１８は、化粧板としての機能及び風雨が直接に開口部枠１３内に吹き込まないようにする機能を有するものである。そしてこれらの開口部枠１３はサッシ枠を構成する上枠１９ａと下枠１９ｂの間に配置されている。なお、開口部枠１３には図３に示すように、その通風路を形成する左右の案内部支持枠１２が開口部枠１３と一体に形成されるとともに、室内側には方形状の板体からなるロック枠１１が取り付けられている。
【００１７】
（開口部カバー２０）
上記開口部枠１３の室内側には、室内外方向に平行移動して開閉される開口部カバー２０が設けられる。該開口部カバー２０は、図４に示すように、上下に長い開口部の全体をカバーしており、その内部には補強用のアングル材２１が配置され、該開口部カバー２０の室内側には、操作ハンドル５０がハンドル支持部５１を介して所定の角度で回動自在に軸着されているとともに、その室外側（開口部枠１３側）の上下には図４及び図６に示すように、所定の間隔をおいて棒状の案内アーム２２が開口部枠１３内に突出状態で装着されている。
【００１８】
（案内アーム２２）
案内アーム２２は、図１０及び図１２に示すように、全体として断面円形の棒状体であり、その取付端部２２ｂには案内アーム取付板２４が取り付けられている。また、案内アーム２２の一部には、図１０，１１に示すように、所定長さに渡って径小平面部２２ａがその左右に設けられている。そして、この案内アーム取付板２４の中心部に形成されたアーム取付孔２４ａには、上記案内アーム取付板２４が直角状に取り付けられる。また、図１２に示すように、案内アーム取付板２４の周部にはカバー取付孔２４ｂが穿設され、該カバー取付孔２４ｂによって案内アーム取付板２４は開口部カバー２０に取り付けられる。
【００１９】
（開閉案内部３０）
次に、開閉案内部３０について説明する。該開閉案内部３０は上記開口部枠１３側に装着され、上記案内アーム２２を支持・案内することで開口部カバー２０を開口部枠１３に対して離接・固定可能に構成するものである。開口部枠１３の室内側端面には、図７乃至図９ に示すように、案内部基板３１が取り付けられる。該案内部基板３１は、図９に示すように、左右に長い長方形状に形成され、その左右の縁近傍には取付ビス孔３１ａが穿設されるとともにその中心部にはストッパ３２が配置されている。
【００２０】
該ストッパ３２は合成樹脂を素材とする略正方形の板体で、その一側部（右側）には円柱状の突部３２ａが一体に形成されるとともに、その中心部には、案内アーム２２を挿通する案内アーム用孔３２ｂが形成され、又、その両側には左右に所定長さの左右案内長孔３２ｃが平行に形成されている。なお、上記案内アーム用孔３２ｂは、特に図９に示すように、正面視円形と長方形の組み合わせ形状となっており、ストッパ３２に外力を加えない限り、バネ３６により長方形状部が、シリンダ３３の前面に位置している（図９に示す状態）。
また、図６乃至図８に示すように、案内部基板３１の室外側（開口部枠１３内）には、所定長さのシリンダ３３が直角状に取り付けられ、該シリンダ３３の室外端は開口部枠１３の室外側に取り付けられている取付板３７に支持されている。そして、前記シリンダ３３内に開口部カバー２０側の前記案内アーム２２が水平に移動可能に挿通されることになる。
【００２１】
また、図８，９に示すように、前記案内部基板３１の上下部には案内ピン３５が植設され、該案内ピン３５は前記左右案内長孔３２ｃに挿通されている。また、前記突部３２ａの外周にはバネ３６が配置され、該バネ３６の右端はストッパ３２の右部に設けられたガイド板３４に当接されている。なお、図７において、符号３８はストッパ３２内に配置されたガイド枠である。
【００２２】
上記構成により、図６，７に示すように、開口部カバー２０側に直角に取り付けられている案内アーム２２は、図９に示される案内アーム用孔３２ｂからシリンダ３３に差し込まれる。この時、ストッパ３２をバネ３６に抗して右方にスライドすることによって、案内アーム用孔３２ｂの円形部を介して案内アーム２２はシリンダ３３に挿入される。この状態において開口部カバー２０は開口部枠１３に対して遠近方向に平行移動が可能となる。また、開口部カバー２０を開閉案内部３０から離しても、上記径小平面部２２ａ端部の段部２２ｃがストッパ３２における案内アーム用孔３２ｂの長方形部に係合・当接するため、案内アーム２２が開閉案内部３０から抜けてしまうことはない。なお、上記段部２２ｃの形状は、図示のものに限定されるものではなく、案内アーム２２のストップ作用があるものであれば、なだらかな段部２２ｃであってもよい。
【００２３】
案内アーム２２をシリンダ３３から抜き出し完全に分離するためには、ストッパ３２をバネ３６に抗して右側に移動させ、径小平面部２２ａがストッパ３２に係合しないようにすることによって可能となる。
【００２４】
（ロック部４０）
次にロック部４０について、図１（Ａ）（Ｂ）及び図５（Ａ）（Ｂ）を用いて説明する。ロック部４０は開口部カバー２０を開口部枠１３から最も離れた位置（開状態・図１（Ａ））及び最も近接して当接する位置（閉状態・図１（Ｂ））の両位置において、ロック（移動不可状態）するものである。ロック部４０は方形状の板体からなるベース４１を介して開口部カバー２０の室外側に装着されている。図５（Ａ）において、符号４２ａは、ロック部４０の開口部カバー２０への取付枠である。
図５（Ｂ）に示すように、上記ベース４１の中心部には軸穴（符号なし）が形成され、操作ハンドル５０の回転軸（符号なし）とロック部４０側の軸４２とが取付枠４２ａ内において連動するように構成される。前記軸４２には、図５（Ａ）に示すように、ジョイント４３が配置され、該ジョイント４３に対して閉ロックプレート４５ａ及び開ロックプレート４５ｂがワッシャを介してビス４６ａにより固定されている。
【００２５】
また、開ロックプレート４５ｂの背面にはゴム板４４がビス４６ｂにより装着されている。なお、このゴム板４４は、図４に示すように近傍に配置されている風案内翼１４が風等により移動して衝突した場合の緩衝用のものである。
特に、図５（Ａ）に示すように、閉ロックプレート４５ａ及び開ロックプレート４５ｂは一体物として形成され、その一端が湾曲されて閉ロックプレート４５ａを形成し、その他端が同様に湾曲して開ロックプレート４５ｂを形成している。そして、図１（Ａ）に示すように、操作ハンドル５０によって軸４２を回動させると、閉ロックプレート４５ａがロック枠１１の室外側に係合させる。この係合により、開口部カバー２０はロック（閉状態ロック）となる（なお、この状態における開口部カバー２０の位置は、図３の実線参照）。
【００２６】
この状態（閉状態ロック）から操作ハンドル５０を回動し、閉ロックプレート４５ａとロック枠１１との係合を解除することによって開口部カバー２０は開口部枠１３に対して離接（開閉）可能となる。
開口部カバー２０が開口部枠１３から最も離れた状態において、操作ハンドル５０を逆方向に回動することによって、図１（Ｂ）に示すように、開ロックプレート４５ｂがロック枠１１の室内側に係合・当接させることで、開口部カバー２０がロック枠１１から最も離れた状態においてロック（開ロック）されることになる（なお、この状態における開口部カバー２０の位置は図３の破線参照）。
この状態において、操作ハンドル５０をわずかに逆回動することによって、ロック枠１１に対する開ロックプレート４５ｂの係合が外れ、開口部カバー２０はロック枠１１に対して離接・摺動が可能となる（図３の矢印参照）。なお、図５（Ｂ）において符号２３は、操作ハンドル５０の回転規制長孔である。
【００２７】
以上のように、本実施の形態では建物のサッシ枠に形成されている通風用の開口部の開口部枠１３に、室内側に水平移動可能とする開口部カバー２０を設け、その閉状態及び開状態のいずれにおいても、開閉用の操作ハンドル５０をわずかに回動させるだけで、開口部カバー２０が開・閉いずれの状態でもロック可能とされるようにしたものである。
【００２８】
上記実施例において、開口部カバー２０が開口部枠１３に当接した時の密閉性を向上させるために、そのいずれかの当接部にタイト材を付設しても良い。また、上記のように開口部カバー２０は開口部枠１３から通常の状態では分離不可であるが、上記実施例ではストッパ３２を右側に移動させることによって簡単に開口部カバー２０を取外すことが可能となった。
【００２９】
なお、上記実施例においては、ロックプレート４５ａ、４５ｂを２個所に設け、ロック枠１１を１つとしたが、ロックプレートを１つとし、ロック枠１１を２つとしてもよい。また、上記実施例においては、シリンダ３３を開口部枠１３，１３間に設けたが、その他の部分、例えば、開口部枠１３自体に設けても良い。この場合、開閉案内部３０の位置や室外カバー１８の形状を幅広にするなど、付随的な設計変更を行うことが望ましいことはいうまでもない。また、操作ハンドル５０の形状は、実施例のようなＴ形の外、例えばＬ形等であってもよい。
【００３０】
【発明の効果】
本発明は、上記構成により、簡単な開閉構造で、開口部カバー２０の開・閉状態を維持・ロックでき、換気効率の良い開閉装置とすることができる。また、開口部カバーは回転式でなく、２本の案内アームを平行にスライドさせる構成であることから通風量が多い。また、開口部カバーは平行移動で開閉するので、タイト材を設けた場合には開口部枠と一様に当接し、タイト材が変形しにくく耐久性が高いという効果もある。
【００３１】
更に、本発明によれば、流入する風（空気）を開口部カバーの左右同量に振り分けられる（回転扉においては、片方のみである。）から、開口部カバーの出幅が小さくても換気効率良い。また、開口部カバーの閉状態時の密閉性がよく、開状態の換気についても十分に可能となる。また、本発明は、構造が簡単で、ハンドル操作のみで、開閉のみならず、開放時及び閉鎖時のロックができ、その操作が簡単である。
【００３２】
また、開口部カバーの支持が安定しており、開口部枠からの開口部カバーの着脱が容易で、取り外し時の換気孔部の掃除がしやすい効果もある。また、内部の点検、保守、清掃  裏面の掃除が容易である。
【図面の簡単な説明】
【図１】本実施形態に係る開口部カバー開閉装置のロック部の説明図で、閉状態（Ａ）と開状態（Ｂ）とを示す。
【図２】本実施形態を適用した開口部カバーの正面図。
【図３】図２のＡ−Ａ線の断面図。
【図４】本実施形態を適用した開閉装置の縦断面図。
【図５】（Ａ）（Ｂ）共、図１のＣ部説明図。
【図６】図４のＤ部（開閉案内部）の説明図。
【図７】図６の開閉案内部の平面図。
【図８】図６の開閉案内部の側面図。
【図９】図６の開閉案内部の正面図。
【図１０】実施形態における案内アームの全体図。
【図１１】同案内アームの説明図。
【図１２】同案内アームの取付板の正面図。
【符号の説明】
１１・・ロック枠    １２・・案内部支持枠    １３・・開口部枠
１４・・風案内翼    １５・・翼保持枠        １６・・翼支持バネ
１７・・ネット      １８・・室外カバー  １８ａ・・（室外カバーの）案内枠
１９ａ・・上枠      １９ｂ・・下枠
２０・・開口部カバー      ２１・・アングル材
２２・・案内アーム  ２２ａ・・径小平面部      ２２ｂ・・取付端部
２２ｃ・・段部      ２３・・回転規制長孔      ２４・・案内アーム取付板
２４ａ・・アーム取付孔    ２４ｂ・・カバー取付孔
３０・・開閉案内部        ３１・・案内部基板
３１ａ・・取付ビス孔      ３２・・ストッパ    ３２ａ・・突部
３２ｂ・・案内アーム用孔  ３２ｃ・・左右案内長孔
３３・・シリンダ          ３４・・ガイド板      ３５・・案内ピン
３６・・バネ              ３７・・取付板        ３８・・ガイド枠
４０・・ロック部          ４１・・ベース        ４２・・軸
４２ａ・・取付枠      ４３・・ジョイント        ４４・・ゴム板
４５ａ・・閉ロックプレート        ４５ｂ・・開ロックプレート
４６ａ，４６ｂ・・ビス
５０，５０'・・操作ハンドル    ５１・・ハンドル支持部
【図１】
0003680314.tif 000002
【図２】
0003680314.tif 000003
【図３】
0003680314.tif 000004
【図４】
0003680314.tif 000005
【図５】
0003680314.tif 000006
【図６】
0003680314.tif 000007
【図７】
0003680314.tif 000008
【図８】
0003680314.tif 000009
【図９】
0003680314.tif 000010
【図１０】
0003680314.tif 000011
【図１１】
0003680314.tif 000012
【図１２】
0003680314.tif 000013